【手続補正書】
【提出日】平成19年7月17日(2007.7.17)
【手続補正１】
【補正対象書類名】特許請求の範囲
【補正対象項目名】全文
【補正方法】変更
【補正の内容】
【特許請求の範囲】
【請求項１】
通信システムにおいて発信者番号通知を取得および解釈するための方法であって、
第１のユーザによって、前記第１のユーザの識別に関連付けられた発信者番号通知を選択するステップと、
前記発信者番号通知の選択時に、および第２のユーザとの通信を開始する前に、前記第１のユーザの連絡先データベースから選択された連絡先リストからの少なくとも１つの連絡先に、前記発信者番号通知を伝送するステップと、
第２のユーザの通信データベースにある前記第１のユーザの選択された発信者番号通知を、前記第１のユーザに関連付けるステップと
を含むことを特徴とする方法。
【請求項２】
第１のユーザによって、前記第１のユーザの識別に関連付けられた前記発信者番号通知を選択するステップは、
前記第１のユーザのデータベースに格納された複数の事前に定義された識別子を検索するステップをさらに含むことを特徴とする請求項１に記載の方法。
【請求項３】
第１のユーザによって、前記第１のユーザの識別に関連付けられた前記発信者番号通知を選択するステップは、
リモートストレージメカニズムまたはネットワークから識別子を検索してダウンロードするステップをさらに含むことを特徴とする請求項１に記載の方法。
【請求項４】
第１のユーザによって、前記第１のユーザの識別に関連付けられた前記発信者番号通知を選択するステップは、
前記第１のユーザ専用の識別子を作成するステップをさらに含むことを特徴とする請求項１に記載の方法。
【請求項５】
第１のユーザによって、前記第１のユーザの識別に関連付けられた前記発信者番号通知を選択するステップは、
前記第１のユーザに関するストレージに、前記選択された発信者番号通知を格納するステップをさらに含むことを特徴とする請求項１に記載の方法。
【請求項６】
選択時に、前記第１のユーザの連絡先データベースから選択された連絡先リストに、前記発信者番号通知を伝送するステップは、
背景伝送プロセスを介して前記連絡先リストに前記発信者番号通知を伝送するステップをさらに含むことを特徴とする請求項１に記載の方法。
【請求項７】
第２のユーザの通信データベースにある前記第１のユーザの選択された発信者番号通知を、前記第１のユーザに関連付けるステップは、
前記第１のユーザの選択された発信者番号通知に関連付けられたイベントを検出するステップをさらに含むことを特徴とする請求項１に記載の方法。
【請求項８】
第２のユーザの通信データベースにある前記第１のユーザの選択された発信者番号通知を、前記第１のユーザに関連付けるステップは、
前記第１のユーザの選択された発信者番号通知のタイプに対応する識別子のタイプを検出するステップをさらに含むことを特徴とする請求項１に記載の方法。
【請求項９】
第２のユーザの通信データベースにある前記第１のユーザの選択された発信者番号通知を、前記第１のユーザに関連付けるステップは、
前記第２のユーザのデータベースにある前記第１のユーザの識別を、イベントおよび／または識別子のタイプに従って関連テーブルに格納するステップをさらに含むことを特徴とする請求項１に記載の方法。
【請求項１０】
第２のユーザの通信データベースにある前記新しい識別を前記第１のユーザに関連付けるステップは、
前記ユーザがオプションを選択したときに、前記第１のユーザに関する識別情報の前記第２のユーザの選択について、前記第１のユーザの自分で選択した識別情報を無効にするステップをさらに含むことを特徴とする請求項１に記載の方法。
【請求項１１】
前記第１のユーザの識別はサウンドであってよいことを特徴とする請求項１に記載の方法。
【請求項１２】
前記第１のユーザの識別は音声を含むことを特徴とする請求項１に記載の方法。
【請求項１３】
前記第１のユーザの識別は音楽を含むことを特徴とする請求項１に記載の方法。
【請求項１４】
前記第１のユーザの識別は呼出し音であることを特徴とする請求項１に記載の方法。
【請求項１５】
前記第１のユーザの識別はイメージであることを特徴とする請求項１に記載の方法。
【請求項１６】
前記第１のユーザの識別はビデオであることを特徴とする請求項１に記載の方法。
【請求項１７】
前記第１のユーザの識別はアニメーションであることを特徴とする請求項１に記載の方法。
【請求項１８】
通信システムにおいて発信者番号通知を取得および解釈するための方法を実行するためのコンピュータ実行可能命令を有するコンピュータ読取り可能媒体であって、前記方法は、
第１のユーザによって、第１のユーザの識別に関連付けられた発信者番号通知を選択するステップと、
前記発信者番号通知の選択時に、および第２のユーザとの通信を開始する前に、前記第１のユーザの連絡先データベースから選択された連絡先リストに、前記第１のユーザの選択された発信者番号通知を伝送するステップと、
第２のユーザの通信データベースにある前記新しい識別を、前記第１のユーザに関連付けるステップと
を含むことを特徴とするコンピュータ読取り可能媒体。
【請求項１９】
第１のユーザによって、前記第１のユーザの識別に関連付けられた前記発信者番号通知を選択するステップを実行するための前記コンピュータ実行可能命令は、
前記第１のユーザのデータベースに格納された複数の事前に定義された識別子を検索するステップをさらに含むことを特徴とする請求項１８に記載のコンピュータ読取り可能媒体。
【請求項２０】
第１のユーザによって、前記第１のユーザの識別に関連付けられた前記発信者番号通知を選択するステップを実行するための前記コンピュータ実行可能命令は、
リモートストレージメカニズムまたはネットワークから識別子を検索してダウンロードするステップをさらに含むことを特徴とする請求項１８に記載のコンピュータ読取り可能媒体。
【請求項２１】
第１のユーザによって、前記第１のユーザの識別に関連付けられた前記発信者番号通知を選択するステップを実行するための前記コンピュータ実行可能命令は、
前記第１のユーザ専用の識別子を作成するステップをさらに含むことを特徴とする請求項１８に記載のコンピュータ読取り可能媒体。
【請求項２２】
第１のユーザによって、前記第１のユーザの識別に関連付けられた前記発信者番号通知を選択するステップを実行するための前記コンピュータ実行可能命令は、
前記第１のユーザのストレージメカニズムに、前記選択された発信者番号通知を格納するステップをさらに含むことを特徴とする請求項１８に記載のコンピュータ読取り可能媒体。
【請求項２３】
選択時に、前記第１のユーザの連絡先データベースから選択された連絡先リストに、前記発信者番号通知を伝送するステップを実行するための前記コンピュータ実行可能命令は、
背景伝送プロセスを介して前記連絡先リストに前記発信者番号通知を伝送するステップをさらに含むことを特徴とする請求項１８に記載のコンピュータ読取り可能媒体。
【請求項２４】
第２のユーザの通信データベースにある前記第１のユーザの選択された発信者番号通知を、前記第１のユーザに関連付けるステップを実行するための前記コンピュータ実行可能命令は、
前記第１のユーザの識別に関連付けられたイベントを検出するステップをさらに含むことを特徴とする請求項１８に記載のコンピュータ読取り可能媒体。
【請求項２５】
第２のユーザの通信データベースにある前記第１のユーザの選択された発信者番号通知を、前記第１のユーザに関連付けるステップを実行するための前記コンピュータ実行可能命令は、
前記第１のユーザの選択された発信者番号通知のタイプに対応する識別子のタイプを検出するステップをさらに含むことを特徴とする請求項１８に記載のコンピュータ読取り可能媒体。
【請求項２６】
第２のユーザの通信データベースにある前記第１のユーザの選択された発信者番号通知を、前記第１のユーザに関連付けるステップを実行するための前記コンピュータ実行可能命令は、
前記第２のユーザのデータベースにある前記第１のユーザの識別を、イベントおよび／または識別子のタイプに従って関連テーブルに格納するステップをさらに含むことを特徴とする請求項１８に記載のコンピュータ読取り可能媒体。
【請求項２７】
第２のユーザの通信データベースにある前記新しい識別を前記第１のユーザに関連付けるステップを実行するための前記コンピュータ実行可能命令は、
前記第２のユーザがオプションを選択したときに、前記第１のユーザに関する識別情報の前記第２のユーザの選択について、前記第１のユーザの自分で選択した識別情報を無効にするステップをさらに含むことを特徴とする請求項１８に記載のコンピュータ読取り可能媒体。
【請求項２８】
前記第１のユーザの識別はサウンドであることを特徴とする請求項１８に記載のコンピュータ読取り可能媒体。
【請求項２９】
前記第１のユーザの識別は音声を含むことを特徴とする請求項１８に記載のコンピュータ読取り可能媒体。
【請求項３０】
前記第１のユーザの識別は音楽を含むことを特徴とする請求項１８に記載のコンピュータ読取り可能媒体。
【請求項３１】
前記第１のユーザの識別は呼出し音であることを特徴とする請求項１８に記載のコンピュータ読取り可能媒体。
【請求項３２】
前記第１のユーザの識別はイメージであることを特徴とする請求項１８に記載のコンピュータ読取り可能媒体。
【請求項３３】
前記第１のユーザの識別はビデオであることを特徴とする請求項１８に記載のコンピュータ読取り可能媒体。
【請求項３４】
前記第１のユーザの識別はアニメーションであることを特徴とする請求項１８に記載のコンピュータ読取り可能媒体。
【請求項３５】
ディスプレイ画面と、
ユーザ入力を受け取るための入力システムと、
無線通信サブシステムと、
処理装置と、
前記処理装置によって実行されたときに、
第１のユーザによって、前記第１のユーザの識別に関連付けられた発信者番号通知を選択するステップと、
前記発信者番号通知の選択時に、および第２のユーザとの通信を開始する前に、背景プロセスを介して、前記第１のユーザの連絡先データベースから選択された連絡先リストに、前記発信者番号通知を伝送するステップと、
第２のユーザの通信データベースにある前記新しい識別を、前記第１のユーザに関連付けるステップと
を含む、発信者番号通知を取得および解釈するための方法を、前記移動端末に実行させる、コンピュータ実行可能命令を格納するメモリと
を含むことを特徴とする移動端末。
【請求項３６】
コンピュータシステムにおいて、
プロセッサと、
前記プロセッサによって実行されたときに、
第１のユーザによって、前記第１のユーザの識別に関連付けられた発信者番号通知を選択するステップと、
前記発信者番号通知の選択時に、および第２のユーザとの通信を開始する前に、背景プロセスを介して、前記第１のユーザの連絡先データベースから選択された連絡先リストに、前記発信者番号通知を伝送するステップと、
第２のユーザの通信データベースにある前記新しい識別を、前記第１のユーザに関連付けるステップと
を、前記コンピュータに実行させる、コンピュータ読取り可能命令を格納するためのメモリと
を含むことを特徴とする通信および発信者番号通知処理システム。